(57)【特許請求の範囲】
【請求項１】
天気情報を受信する受信手段と、
イベントの開催予定情報を含むイベント関連情報と、イベントへの参加予定者のメールアドレスとを記憶している記憶手段と、
受信した天気情報により、開催予定情報により定まる前記イベントの開催が可能か否かを判断する判断手段と、
開催が不可能と判断される場合に、前記記憶手段に記憶されているメールアドレス宛に、イベントの開催が不可能である旨の電子メールを送信する送信手段と、
受信した天気情報と、記憶しているイベント関連情報とを一緒に表示する待ち受け画面を生成する生成手段と、
生成した待ち受け画面を表示する表示手段と
を備えることを特徴とする携帯電話機。
【請求項２】
前記送信手段は、さらに、前記天気情報を前記電子メールと共に送信する
ことを特徴とする請求項１に記載の携帯電話機。
【請求項３】
前記送信手段は、前記天気情報として、天気を示すアイコンを送信する
ことを特徴とする請求項２に記載の携帯電話機。
【請求項４】
前記送信手段は、イベントの開催が可能と判断される場合に、さらに、その旨の電子メールを前記メールアドレス宛に送信する
ことを特徴とする請求項１に記載の携帯電話機。
【請求項５】
前記生成手段は、受信した天気情報を示すアイコン画像、ピクト画像又はポップアップ画像を生成し、生成したアイコン画像、ピクト画像又はポップアップ画像を含む待ち受け画面を生成する
ことを特徴とする請求項１に記載の携帯電話機。
【請求項６】
前記送信手段は、さらに、自身宛に、前記電子メールを送信したことを示す旨と、イベントの開催が変更される旨と、各メールアドレスと、抽出した天気情報とを含む電子メールを送信する
ことを特徴とする請求項１に記載の携帯電話機。
【請求項７】
当日より先の複数の日についての天気情報を受信する受信手段と、
イベントを示すイベント情報と、イベントの開催予定日と、天気情報による前記開催の変更の可能性の有無を示す可能性情報と、前記可能性情報が変更の可能性が有ることを示す場合に、前記開催の変更を決定する天気の条件を示す条件情報とを対応付けて記憶しているスケジュール記憶手段と、
前記イベントへの参加予定者のメールアドレスを記憶しているアドレス記憶手段と、
前記可能性情報がイベントの開催の変更の可能性が有ることを示す場合に、受信した複数の天気情報の中から、前記開催予定日と同一の日についての天気情報を抽出する抽出手段と、
抽出した前記天気情報が、前記条件情報により示される天気の条件を満たすか否かを判断する判断手段と、
前記天気の条件を満たすと判断される場合に、前記アドレス記憶手段に記憶されているメールアドレス宛に、イベントの開催が変更される旨の電子メールを送信する送信手段と、
抽出した天気情報と、記憶しているイベント情報とを一緒に表示する待ち受け画面を生成する生成手段と、
生成した待ち受け画面を表示する表示手段と
を備えることを特徴とする携帯電話機。
【請求項８】
前記携帯電話機は、さらに、
利用者から、イベント情報と、イベントの開催予定日と、前記可能性情報と、前記可能性情報が変更の可能性が有ることを示す場合に前記条件情報との入力を受け付けるスケジュール受付手段と、
入力を受け付けた前記イベント情報と、前記開催予定日と、前記可能性情報と、変更の可能性が有ることを示す場合に前記条件情報とを、前記スケジュール記憶手段に書き込む書込手段とを
含むことを特徴とする請求項７に記載の携帯電話機。
【請求項９】
前記書込手段は、さらに、抽出された前記天気情報を、前記イベント情報に対応付けて、前記スケジュール記憶手段に書き込む
ことを特徴とする請求項７に記載の携帯電話機。
【請求項１０】
前記携帯電話機は、さらに、
前記スケジュール記憶手段に記憶されている前記イべント情報、前記開催予定日及び前記天気情報を含む月毎のスケジュール表示画面を生成するスケジュール生成手段と、
生成されたスケジュール表示画面を表示するスケジュール表示手段と
を含むことを特徴とする請求項９に記載の携帯電話機。
【発明の詳細な説明】
【技術分野】
【０００１】
スケジュール機能、電子メール機能を備える携帯電話機に関する。
【背景技術】
【０００２】
従来より、インターネット上で開示されている天気情報サイトにアクセスして天気情報を取得することができる。
特許文献１によると、最新の天気予報情報を、スケジュール管理を行う情報処理装置のカレンダー表示の日時に対応させ表示させることにより、日常生活において非常に便利な情報処理装置を提供することを目的とし、スケジュール管理を行うカレンダーを表示する表示手段と、気象状態を検知し天気を予測する天気予測手段と、前記天気予測手段からの信号に基づいて前記表示手段に表示されたカレンダーの対応する日時の所定の場所に天気情報を表示するデータ変換手段を備えた情報処理装置が開示されている。
【特許文献１】特開平９−１２８４４１号公報
【発明の開示】
【発明が解決しようとする課題】
【０００３】
上記の従来技術によると、日時に対応して天気情報を表示するので、表示された天気情報を用いて、情報処理装置の利用者は、自身の行動をコントロールできる。しかしながら、カレンダーに記載された当該日のイベントには、利用者以外の他の者も関連することがあり、これらの他の者の行動をコントロールできないという問題がある。
例えば、複数の者が屋外でテニスを行うというイベントがカレンダーに記載されている場合に、テニスの開催日の天気情報が雨であることを示すとき、当該利用者は、カレンダーに表示された天気情報を見て、テニスに行かないという行動を選択し、また天気に影響されない別のイベントへの参加を予定することができるが、他の者は、天気情報を知らず、このような行動をとれないため、当日、雨にも係わらず、テニスに行ってしまうことになり、又は、当日の天気を見て、テニスに行かないとしても、予め他のイベントへの参加を予定することができない。
【０００４】
上記の問題点を解決するために、本発明は、同一のイベントに関連する他の者に対して、天気情報を用いて、予め当該イベントの開催に関して有益な情報を通知できる携帯電話機を提供することを目的とする。
【課題を解決するための手段】
【０００５】
上記目的を達成するために、本発明は、携帯電話機であって、天気情報を受信する受信手段と、イベントの開催予定情報を含むイベント関連情報と、イベントへの参加予定者のメールアドレスとを記憶している記憶手段と、受信した天気情報により、開催予定情報により定まる前記イベントの開催が可能か否かを判断する判断手段と、開催が不可能と判断される場合に、前記記憶手段に記憶されているメールアドレス宛に、イベントの開催が不可能である旨の電子メールを送信する送信手段と、受信した天気情報と、記憶しているイベント関連情報とを一緒に表示する待ち受け画面を生成する生成手段と、生成した待ち受け画面を表示する表示手段とを備えることを特徴とする。
【発明の効果】
【０００６】
この構成によると、イベントの開催が不可能であると判断される場合に、その旨の電子メールをイベントの参加者宛に送信するので、参加者は、その旨を知ることができ、イベント開催当日の行動を予めコントロールすることができるという優れた効果を奏する。
また、天気情報を表示する待ち受け画面が表示されるので、利用者は、常に、天気情報を知ることができる。
ここで、前記送信手段は、さらに、前記天気情報を前記電子メールと共に送信するとしてもよい。
【０００７】
この構成によると、さらに、天気情報が送信されるので、参加者は、送信される天気情報により、イベントの開催が不可能であると判断された理由を知ることができる。
ここで、前記送信手段は、前記天気情報として、天気を示すアイコンを送信するとしてもよい。
この構成によると、天気を示すアイコンが送信されるので、参加者は、アイコンにより視覚的に簡単に天気を知ることができる。
【０００８】
ここで、前記送信手段は、イベントの開催が可能と判断される場合に、さらに、その旨の電子メールを前記メールアドレス宛に送信するとしてもよい。
この構成によると、イベントの開催が可能である旨の電子メールが送信されるので、参加者は、イベント開催当日の行動を確実にコントロールすることができる。
【０００９】
ここで、前記生成手段は、受信した天気情報を示すアイコン画像、ピクト画像又はポップアップ画像を生成し、生成したアイコン画像、ピクト画像又はポップアップ画像を含む待ち受け画面を生成するとしてもよい。
【００１０】
この構成によると、天気情報を示すアイコン画像、ピクト画像、又はポップアップ画像が表示されるので、利用者は、視覚的に容易に天気情報を知ることができる。
ここで、前記送信手段は、さらに、自身宛に、前記電子メールを送信したことを示す旨と、イベントの開催が変更される旨と、各メールアドレスと、抽出した天気情報とを含む電子メールを送信するとしてもよい。
【００１１】
この構成によると、利用者自身宛に上記の電子メールが送信されるので、利用者は、どの参加者にどのような電子メールが送信されたかを知ることができる。
また、本発明は、携帯電話機であって、当日より先の複数の日についての天気情報を受信する受信手段と、イベントを示すイベント情報と、イベントの開催予定日と、天気情報による前記開催の変更の可能性の有無を示す可能性情報と、前記可能性情報が変更の可能性が有ることを示す場合に、前記開催の変更を決定する天気の条件を示す条件情報とを対応付けて記憶しているスケジュール記憶手段と、前記イベントへの参加予定者のメールアドレスを記憶しているアドレス記憶手段と、前記可能性情報がイベントの開催の変更の可能性が有ることを示す場合に、受信した複数の天気情報の中から、前記開催予定日と同一の日についての天気情報を抽出する抽出手段と、抽出した前記天気情報が、前記条件情報により示される天気の条件を満たすか否かを判断する判断手段と、前記天気の条件を満たすと判断される場合に、前記アドレス記憶手段に記憶されているメールアドレス宛に、イベントの開催が変更される旨の電子メールを送信する送信手段と、抽出した天気情報と、記憶しているイベント情報とを一緒に表示する待ち受け画面を生成する生成手段と、生成した待ち受け画面を表示する表示手段とを備えることを特徴とする。
【００１２】
この構成によると、抽出した天気情報が、条件情報により示される天気の条件を満たす場合に、イベントの開催が変更される旨の電子メールをイベントの参加者宛に送信するので、参加者は、その旨を知ることができ、イベント開催当日の行動を予めコントロールすることができるという優れた効果を奏する。
また、天気情報を表示する待ち受け画面が表示されるので、利用者は、常に、天気情報を知ることができる。
ここで、前記携帯電話機は、さらに、利用者から、イベント情報と、イベントの開催予定日と、前記可能性情報と、前記可能性情報が変更の可能性が有ることを示す場合に前記条件情報との入力を受け付けるスケジュール受付手段と、入力を受け付けた前記イベント情報と、前記開催予定日と、前記可能性情報と、変更の可能性が有ることを示す場合に前記条件情報とを、前記スケジュール記憶手段に書き込む書込手段とを含むとしてもよい。
【００１３】
この構成によると、利用者が定めたイベント情報、開催予定日、可能性情報、条件情報により、携帯電話機を制御することができる。
ここで、前記書込手段は、さらに、抽出された前記天気情報を、前記イベント情報に対応付けて、前記スケジュール記憶手段に書き込むとしてもよい。
この構成によると、受信した天気情報をイベント情報に対応して記憶するので、天気情報を有効に利用することができる。
【００１４】
ここで、前記携帯電話機は、さらに、前記スケジュール記憶手段に記憶されている前記イべント情報、前記開催予定日及び前記天気情報を含む月毎のスケジュール表示画面を生成するスケジュール生成手段と、生成されたスケジュール表示画面を表示するスケジュール表示手段とを含むとしてもよい。
この構成によると、受信した天気情報をスケジュール表示画面に表示するので、利用者は、容易に天気情報を知ることができる。
【発明を実施するための最良の形態】
【００１５】
本発明に係る１個の実施の形態としての天気情報通知システム１について説明する。
１．天気情報通知システム１の構成
天気情報通知システム１は、図１に示すように、携帯電話１００、携帯電話２０１、２０２、２０３及び天気情報サーバ装置３００から構成されている。携帯電話１００、携帯電話２０１、２０２、２０３は、携帯電話網１０を介して、接続されており、また、携帯電話１００は、無線基地局１１、携帯電話網１０及びインターネット２０を介して、天気情報サーバ装置３００と接続されている。
【００１６】
天気情報サーバ装置３００には、複数の天気情報が蓄積されている。ここで、天気情報とは、ある地域のある日の予測天気情報、ある地域のある週の地域の週間予測天気情報、ある地域のある月の月間予測天気情報などであり、これらの天気情報は、予測気温、予測湿度、予測気圧、予測降水確率、予測洗濯指数、予測紫外線量、予測開花情報、予測紅葉情報、各種の警報情報、各種の注意報情報、津波警報、台風予測進路情報、洪水予測情報、地震情報、火山情報、天気図、気象衛星による写真などを含む。
【００１７】
携帯電話１００は、定期的に、無線基地局１１、携帯電話網１０及びインターネット２０を介して、天気情報サーバ装置３００に対して、天気情報を要求する。
携帯電話１００が天気情報サーバ装置３００に対して、天気情報の要求を受信すると、天気情報サーバ装置３００は、内部に蓄積している天気情報を読み出し、読み出した天気情報を、インターネット２０、携帯電話網１０及び無線基地局１１を介して、携帯電話１００へ送信する。
【００１８】
携帯電話１００は、予め利用者のスケジュールを示すスケジュール帳データを記憶している。スケジュール帳データは、利用者が参加するイベントに対応付けて、イベントの開催日、曜日、イベント名称、イベントアイコン、イベント開催地域、天気関連区分、条件情報、予測天気情報、天気アイコンを記憶するための領域を備えている。これらの項目については、後述する。
【００１９】
携帯電話１００は、天気情報を受信し、受信した天気情報と、スケジュール帳データに登録されているイベントに関する上記情報とに基づいて、当該イベントが開催できるか否かを判断し、開催できないと判断される場合に、受信した天気情報と共に、当該旨の電子メールを当該イベントに参加する他の参加者へ送信する。ここで、天気情報を示すアイコン画像を送信してもよい。開催できると判断される場合に、受信した天気情報と共に、当該旨の電子メールを当該イベントに参加する他の参加者へ送信する。
【００２０】
また、携帯電話１００は、スケジュール帳データに、当該イベントに対応付けて、受信した天気情報を書き込む。
また、携帯電話１００は、受信した天気情報に対応するアイコン画像、ピクト画像又はポップアップ画像を表示する。これらの画像は、待ち受け画面において表示される。
また、携帯電話１００は、自身宛に、前記電子メールを送信したことを示す旨と、イベントの開催が変更される旨と、各参加者のメールアドレスと、抽出した天気情報とを含む電子メールを送信する。
【００２１】
また、携帯電話１００は、イベントに関連する情報及び前記天気情報を含む月毎のスケジュール表示画面を生成し、表示する。
携帯電話２０１、２０２、２０３は、携帯電話１００から、無線基地局１１、携帯電話網１０及び各無線基地局を介して、前記電子メールを受信し、受信した電子メールを表示する。
【００２２】
２．携帯電話１００
携帯電話１００は、図１に示すように、アンテナ１０１、無線通信部１０２、通信制御部１０３、スピーカ１０４、ＤＡ変換部１０５、マイク１０６、ＡＤ変換部１０７、制御部１０８、記憶部１０９、表示部１１０及び入力部１１１から構成されている。
携帯電話１００は、具体的には、汎用マイクロプロセッサ、信号処理プロセッサ、ＲＯＭ、ＲＡＭ、液晶ディスプレィユニット、テンキーキーボードなどから構成されるコンピュータシステムである。前記ＲＡＭには、コンピュータプログラムが記憶されている。前記マイクロプロセッサ及び信号処理プロセッサが、前記コンピュータプログラムに従って動作することにより、携帯電話１００は、その一部の機能を達成する。
【００２３】
（１）記憶部１０９
記憶部１０９は、アドレス帳（図示していない）、図２に示すスケジュール帳データ４２０、図３に示すイベント参加者リスト４００及びその他のデータを記憶するための領域を備えている。
（アドレス帳）
アドレス帳は、複数のアドレスデータから構成されており、複数のアドレスデータは、それぞれ、利用者の複数の通信相手に対応している。アドレスデータは、通信相手の名前、携帯電話の電話番号、固定電話の電話番号、メールアドレス、及びその他の当該通信相手に関する情報から構成されている。
【００２４】
（スケジュール帳データ４２０）
スケジュール帳データ４２０は、一例として、図２に示すように、複数のスケジュールデータを記憶するための領域を備えている。各スケジュールデータは、利用者の一日のスケジュールに対応している。
各スケジュールデータは、年月日、曜日、イベント名称、イベントアイコン、イベント開催地域、天気関連区分、条件情報、予測天気情報及び天気アイコンから構成されている。
【００２５】
年月日及び曜日は、それぞれ、当該スケジュールデータが対応する日の年月日及び曜日である。
イベント名称は、当該スケジュールデータが対応する日において、利用者が参加する予定のイベントを示す名前である。当該日に、参加する予定のイベントが無い場合には、この項目は、空白（又はＮｕｌｌ値）を有する。イベント名称の一例は、「テニス」、「ドライブ」、「ゴルフ」、「ヨガ」などである。
【００２６】
イベントアイコンは、当該スケジュールデータが対応する日において、利用者が当該日において参加する予定のイベントを視覚的に分かりやすく表現した画像データであり、マトリックス状に縦に６０個、横に６０個、合計３６００個の画素が並べられて形成されている。
イベント開催地域は、当該スケジュールデータが対応する日において、当該イベントが開催される地域を示す情報である。イベント開催地域の一例は、「大阪市内」、「京都市内」などである。
【００２７】
天気関連区分は、当該スケジュールデータが対応する日において、当該イベントの開催が天気により影響されるか否かを示すものである。天気関連区分は「有り」又は「無し」のいずれかのデータを有する。天気関連区分が「有り」の場合には、当該イベントの開催が天気により影響され、天気関連区分が「無し」の場合には、当該イベントの開催が天気により影響されないことを示している。例えば、屋外で行うスポーツであるテニスやゴルフは、天気に影響され、屋外でのイベントであっても、例えば、ドライブは、天気の影響が少なく、また屋内で開催されるイベントは、天気の影響が少ない。しかし、ドライブや屋内で開催されるイベントであっても、その開催地域が、例えば、台風の予測進路上に存在する場合には、当然天気に影響される。
【００２８】
条件情報は、天気関連区分が「有り」である場合に、当該スケジュールデータが対応する日において、イベントの開催の中止又は延期を決定する条件を示す情報である。条件情報の一例は、「降水確率５０％以上」、「風速１０ｍ／秒以上」などである。
ここで、一例として、条件情報が「降水確率５０％以上」である場合に、予測降水確率が２０％であれば、当該イベントは、開催され、予測降水確率が７５％であれば、当該イベントの開催は、中止され又は延期される。
【００２９】
条件情報は、天気関連区分が「無し」である場合に、空白（又はＮｕｌｌ値）を有する。
予測天気情報は、当該スケジュールデータが対応する日における予測天気情報である。
天気アイコンは、当該スケジュールデータが対応する日における予測天気情報を視覚的に分かりやすく表現した画像データであり、マトリックス状に縦に６０個、横に６０個、合計３６００個の画素が並べられて形成されている。
【００３０】
図２に示すように、一例として、スケジュール帳データ４２０は、スケジュールデータ４３０を含み、スケジュールデータ４３０は、年月日４２１、曜日４２２、イベント名称４２３、イベントアイコン４２４、イベント開催地域４２５、天気関連区分４２６、条件情報４２７、予測天気情報４２８及び天気アイコン４２８から構成されている。
ここで、年月日４２１及び曜日４２２は、それぞれ、「２００Ｘ１０１７」及び「日」である。イベント名称４２３は、「テニス」であり、イベントアイコン４２４は、ラケットとボールを表現した示す画像データであり、当該イベントがテニスであることを示している。イベント開催地域４２５は、「大阪市内」である。天気関連区分４２６は、「有り」であるので、「テニス」の開催が天気に影響されることを示している。条件情報４２７は、「降水確率５０％以上」である。例えば、予測降水確率が５０％未満であれば、「テニス」は、予定通り開催され、予測降水確率が５０％以上であれば、「テニス」の開催は、中止され又は延期される。予測天気情報４２８は、「降水確率１００％」である。ここで、条件情報４２７は、「降水確率５０％以上」であるので、この場合において、「テニス」は、中止され又は延期される。天気アイコン４２９は、傘を表現した画像データであり、予測天気が雨であることを示している。
【００３１】
（イベント参加者リスト４００）
イベント参加者リスト４００は、一例として、図３に示すように、複数の参加者データから構成されている。各参加者データは、１個以上のイベントに参加する参加者に対応している。
参加者データは、氏名、メールアドレス、イベント名、開催年月日及び開催地域から構成されている。
【００３２】
氏名は、当該参加者データに対応する参加者の名称である。
メールアドレスは、当該参加者データに対応する参加者のメールアドレスであるる
イベント名は、当該参加者データに対応する参加者が参加する予定のイベントを示す名称である。
開催年月日は、当該参加者データに対応する参加者が参加する予定のイベントが開催される年月日である。
【００３３】
開催地域は、当該参加者データに対応する参加者が参加する予定のイベントが開催される地域を示す。
（２）通信制御部１０３、無線通信部１０２及びアンテナ１０１
無線通信部１０２は、アンテナ１０１により受信した無線周波数信号を増幅し、出力信号をＩＦ信号に変換し、ＩＦ信号を増幅し、増幅されたＩＦ信号をベースバンド信号に復調し、また、ベースバンド信号により高周波数信号を変調し、その出力を無線周波数に変換し、無線周波数を増幅しアンテナ１０１へ出力する。通信制御部１０３は、ベースバンド信号を生成して無線通信部１０２へ出力し、また、無線通信部１０２からベースバンド信号を受け取る。
【００３４】
こうして、通信制御部１０３、無線通信部１０２及びアンテナ１０１は、無線基地局１１、携帯電話網１０、インターネット２０を介して接続されている天気情報サーバ装置３００との間で、情報の送受信を行う。
（３）スピーカ１０４、ＤＡ変換部１０５、マイク１０６及びＡＤ変換部１０７
マイク１０６は、利用者の音声をアナログの音声電気信号に変換し、ＡＤ変換部１０７は、アナログの音声電気信号をデジタルの音声情報に変換し、生成した音声情報を通信制御部１０３へ出力する。
【００３５】
ＤＡ変換部１０５は、通信制御部１０３からデジタルの音声情報を受け取り、受け取った音声情報をアナログの音声電気信号に変換し、スピーカ１０４は、音声電気信号を音として出力する。
（５）入力部１１１及び表示部１１０
入力部１１１は、テンキー、電源ボタン、上移動キー、下移動キー、左移動キー、右移動キー、決定キー及びその他のキーから構成され、これらのキーは、利用者により操作される。これらのキーが利用者により操作されると、入力部１１１は、当該キーに対応する指示情報を制御部１０８へ出力する。
【００３６】
指示情報の具体例は、スケジュール帳の更新を指示する更新指示情報であり、スケジュール帳の表示を指示する表示指示である。
表示部１１０は、具体的には、液晶ディスプレィユニットから構成され、制御部１０８の制御により、各種のデータを表示する。
表示部１１０により表示される画面の一例として、待ち受け画面５００、５１０、５２０、５３０、５４０、５５０を、それぞれ、図４〜図９に示し、スケジュール画面５６０及び５７０を、それぞれ、図１０〜図１１に示し、リスト表示画面５９０を図１２に示す。
【００３７】
利用者の設定により、待ち受け画面５００、５１０、５２０、５３０、５４０、５５０のうちのいずれか１個の待ち受け画面が表示される。また、利用者の設定により、スケジュール画面５６０及び５７０のいずれか１個のスケジュール画面が表示される。スケジュール画面５６０及び５７０のいずれかが表示されている状態で、スケジュール画面上のいずれかの日付が選択されると、選択された日付に係るリスト表示画面５９０が表示される。
【００３８】
図４に示す待ち受け画面５００は、天気アイコン５０１を含んでいる。天気アイコン５０１は、上述したように、予測天気情報を視覚的に分かりやすく表現した画像データである。天気アイコン５０１は、利用者の設定により、いつの予測天気情報であるかを切り換えて表示される。例えば、当日の予測天気情報を表示するように設定することもできるし、当日に直近のイベントの開催年月日の予測天気情報を表示するように設定することもできる。これらの場合に、待ち受け画面５００内において、天気アイコン５０１の近辺に、当日、又はイベントの開催年月日であることを示す情報を表示するとしてもよい。
【００３９】
図５に示す待ち受け画面５１０は、天気ピクト５１１を含んでいる。天気ピクト５１１は、天気アイコン５０１と同様に、予測天気情報を視覚的に分かりやすく表現した画像データであり、マトリックス状に縦に３０個、横に３０個、合計で９００個の画素が並べられて形成されている。天気アイコン５０１との相違点は、その大きさと表示される位置である。それぞれの大きさについては、上述した通りである。天気ピクト５１１は、待ち受け画面５１０の上部の領域に表示される。この領域には、天気ピクト５１１の他に、携帯電話１００の無線基地局１１からの電波受信状況を示すピクト５１２及び携帯電話１００の電池残量を示すピクト５１３が表示される。
【００４０】
図６に示す待ち受け画面５２０は、天気アイコン５２１を含んでいる。天気アイコン５２１は、予測天気情報及びイベントの中止又は延期を伝える電子メールを送信したことの両方を視覚的に分かりやすく表現した画像データである。天気アイコン５２１は、図６に示すように、傘と封筒とを表現している。天気アイコン５２１も、天気アイコン５０１と同様に、利用者の設定により、いつの予測天気情報であるかを切り換えて表示される。待ち受け画面５２０は、利用者によりイベントの中止又は延期を伝える電子メールが、利用者の操作によらず、自動的に送信された場合に、表示される。
【００４１】
図７に示す待ち受け画面５３０は、ポップアップ５３１を含んでいる。ポップアップ５３１は、アイコン５２１と同様の傘と封筒とからなるアイコン５３２と、「メールを送る必要があります」という文字メッセージ５３３とを含んでいる。待ち受け画面５３０は、利用者の操作による電子メールの手動送信が設定されている場合に、表示される。
待ち受け画面５３０が表示された場合に、入力部１１１が、利用者によるアイコン５３２の選択と押下とを受け付けると、制御部１０８の制御により、表示部１１０は、予測天気情報を添付し、イベントの中止又は延期を伝える電子メール作成画面を表示する。次に、入力部１１１が、利用者の操作により、前記電子メールの送信の指示を受け付けると、制御部１０８は、前記電子メールを、送信するように、通信制御部１０３、無線通信部１０２及びアンテナ１０１を制御する。
【００４２】
図８及び図９に示す待ち受け画面５４０及び５５０は、それぞれ、気象情報が視覚的に認識できるイラスト、天気図、衛星画像などからなる気象画像５４１及び５５１を壁紙として含んでいる。これらのイラスト、天気図、衛星画像などは、天気情報サーバ装置３００から受信する天気情報に含まれている。携帯電話１００が、気象の変化により、新たにこれらの気象画像を受信すると、表示部１１０は、待ち受け画面５４０に代えて、受信した気象画像を含む待ち受け画面を表示する。
【００４３】
図１０に示すスケジュール画面５６０は、「２００Ｘ年１０月」のカレンダーを示すものであり、スケジュール表示部５６１を含んでいる。スケジュール表示部５６１は、６行×７列のマトリックス状に構成された４２個の日付枠を含んでおり、４２個の日付枠には、左から右へ、また上から下へ、日付を示す数字「１」、「２」、「３」、・・・、「３０」、「３１」が表示されている。また、イベントが予定されている日付に対応する日付枠には、イベントアイコンが表示され、また、該当する日付枠には、天気アイコンが表示されている。
【００４４】
例えば、日付を示す数字５６２「９」が表示されている日付枠には、ドライブを示すイベントアイコン５６３が表示され、日付を示す数字「１６」が表示されている日付枠には、「曇りのち晴れ」を示す天気アイコン５６４が表示され、日付を示す数字「１７」が表示されている日付枠には、「雨」を示す天気アイコンと、「テニス」を示すイベントアイコン５６５とが表示されている。
【００４５】
図１１に示すスケジュール画面５７０は、スケジュール画面５６０と同様に、「２００Ｘ年１０月」のカレンダーを示すものであり、スケジュール表示部５７１とイベント表示部５７３と、天気情報表示部５８１とを含んでいる。スケジュール表示部５７１は、スケジュール表示部５６１と同一である。スケジュール表示部５７１において、日付を示す数字「１７」が表示されている日付枠には、当該日付枠の選択を示すフォーカス５７２が表示されている。
【００４６】
イベント表示部５７３は、スケジュール画面５７０においてフォーカス５７２が表示された日付枠に対応する日付における各イベントに関する情報を表示するものであり、「テニス」を示すイベントアイコン５７４と、「テニス」の文字５７５と、イベントの開始時刻５７６とを含んでいる。
天気情報表示部５８１は、スケジュール画面５７０においてフォーカス５７２が表示された日付枠に対応する日付における天気情報を表示するものであり、当該日の天気を視覚的に表現する天気アイコン５８２、当該日の洗濯指数を視覚的に表現する洗濯指数アイコン５８３及び当該日の開花情報を視覚的に表現する開花情報アイコン５８４とを含む。
【００４７】
リスト表示画面５９０は、スケジュール画面５７０においてフォーカス５７２が表示された日付枠に対応する日付におけるイベントのスケジュール、天気情報、指数情報及び開花情報を示す。リスト表示画面５９０において、項目５９１は、当該日付を示し、項目５９２は、当該日付におけるイベントの開始時刻、終了時刻、イベントの名称及びイベントの開催地域を示し、項目５９３は、当該日付における天気、最高気温、最低気温及び降水確率を示し、項目５９４は、当該日付における洗濯指数を示し、項目５９５は、当該日付における開花情報を示している。このように、リスト表示画面５９０は、スケジュール画面５７０に表示しきれない詳細情報を表示する。
【００４８】
（６）制御部１０８
（イベント参加者リスト４００の生成）
イベント参加者リスト４００は、制御部１０８の制御により、次に示すようにして生成される。
利用者は、あるイベントのイベント名称、イベントの開催年月日及びイベントの開催地域を入力し、アドレス帳に含まれているアドレスデータから、前記イベントに参加する参加者の名前が含まれるものを選択する。入力部１１１は、イベント名称、開催年月日及び開催地域を受け付け、前記選択を受け付け、制御部１０８は、選択されたアドレスデータから名前及びメールアドレスを抽出し、抽出した名前（氏名）及びメールアドレスと、受け付けたイベント名称、開催年月日及び開催地域を参加者データとして、イベント参加者リスト４００へ書き込む。
【００４９】
（スケジュール帳の表示）
制御部１０８は、入力部１１１からスケジュール帳の表示を指示する表示指示情報と表示対象の年月の指定とを受け取る。前記表示指示情報と年月の指定とを受け取ると、スケジュール帳データ４２０から、指定される年月を含む全てのスケジュールデータを読み出し、読み出したスケジュールデータを用いて、一例として図１０に示すようなスケジュール画面５６０を生成し、生成したスケジュール画面５６０を表示するように表示部１１０を制御する。
【００５０】
（スケジュール帳データ４２０への登録）
制御部１０８は、入力部１１１からスケジュール帳の更新を指示する更新指示情報を受け取る。前記更新指示情報を受け取ると、さらに、年月日の指定、イベント名、イベントアイコンの選択を受け取り、さらに、天気関連区分を受け取る。ここで、受け取った天気関連区分が「有り」の場合に、さらに、条件情報を受け取る。受け取った天気関連区分が「無し」の場合には、条件情報を受け取ることはない。次に、指定された年月日、受け取ったイベント名、選択されたイベントアイコン、受け取った天気関連区分、受け取った天気関連区分が「有り」の場合に受け取った条件情報を、スケジュールデータとして、スケジュール帳データ４２０へ書き込む。なお、上記において、イベントアイコンの選択は、予め携帯電話１００が記憶している複数のアイコンの中から利用者の指定により行われる。
【００５１】
（天気情報の取得）
制御部１０８は、予め利用者により設定された繰返単位により、通信制御部１０３、無線通信部１０２及びアンテナ１０１に対して、無線基地局１１、携帯電話網１０及びインターネット２０を介して、天気情報サーバ装置３００に対して、天気情報の送信を依頼する天気情報要求を送信するように、制御する。
【００５２】
ここで、繰返単位の一例は、１時間毎、３時間毎、１２時間毎、１日毎、１週間毎などである。これらの繰返単位は、利用者の操作により設定される。またその設定は、利用者の操作により更新される。
例えば、繰返単位が１時間毎である場合には、制御部１０８は、１時間毎に、つまり、毎時００分００秒に、前記天気情報要求を送信するように制御する。
【００５３】
また、制御部１０８は、天気情報サーバ装置３００から、インターネット２０、携帯電話網１０、無線基地局１１、アンテナ１０１、無線通信部１０２及び通信制御部１０３を介して、天気情報を受信する。前記天気情報は、一例として予測年月日、予測降水確率等、予測地域を含む。
（天気情報の表示）
また、制御部１０８は、受け取った天気情報に含まれる予測降水確率を用いて、予め携帯電話１００が記憶している複数のアイコンの中から１個の天気アイコンを選択する。ここで、例えば、予測降水確率が３０％以上である場合には、傘が表現された天気アイコンを選択する。次に、選択した天気アイコンを含む待ち受け画面５００（図４に示す）を生成し、表示部１１０に対して生成した待ち受け画面５００を表示するように制御する。待ち受け画面５００に代えて、図５、図８、図９に示す待ち受け画面５１０、５４０、５５０を表示してもよい。
【００５４】
（スケジュール帳データ４２０の更新）
また、制御部１０８は、受け取った天気情報に含まれる予測年月日と同一の年月日を含むスケジュールデータを、スケジュール帳データ４２０から抽出し、抽出したスケジュールデータに含まれるイベント開催地域と、受け取った天気情報に含まれる予測地域とが一致するか否かを判断し、一致する場合に、当該スケジュールデータに、受け取った予測降水確率等を、予測天気情報として書き込む。また、予測降水確率等に対応する天気アイコンを、携帯電話１００が記憶している複数のアイコンから選択し、選択したアイコンを、天気アイコンとして書き込む。このようにして、受け取った天気情報に対応する年月日のスケジュールデータの天気に関連する項目が更新される。
【００５５】
（電子メール作成）
また、制御部１０８は、スケジュール帳データ４２０から、当日以降の年月日を含み、かつ、「有り」である天気関連区分を含むスケジュールデータの抽出を試みる。スケジュールデータが抽出されない場合には、以降の、電子メール作成の処理は行わない。
１個以上のスケジュールデータが抽出された場合に、各スケジュールデータについて、以下に説明するようにして、電子メールを作成して、該当するメールアドレス宛に送信する。
【００５６】
（ｉ）抽出されたスケジュールデータに含まれる条件情報と、予測天気情報とを用いて、電子メールを作成するか否かを判断する。
具体的には、条件情報が「降水確率５０％以上」であり、予測天気情報が、「降水確率２０％」であれば、電子メールの作成は行わない。また、条件情報が「降水確率５０％以上」であり、予測天気情報が、「降水確率６０％」であれば、電子メールの作成を行う。つまり、予測天気情報が、条件情報により示される条件を満たす場合に、電子メールの作成を行い、満たさない場合に、電子メールの作成を行わない。
【００５７】
（ii）電子メールの作成は次のようにして行う。
制御部１０８は、予め、次のような文面を記憶している。つまり、「ＡＡ年ＢＢ日ＣＣ日に開催予定のＤＤは、中止されました。」
次に、制御部１０８は、抽出されたスケジュールデータから、年月日及びイベント名称を抽出し、抽出した年、月、日及びイベント名称を、前記文面のＡＡ、ＢＢ、ＣＣ及びＤＤの部分に埋め込む。
【００５８】
例えば、年月日及びイベント名称が、それぞれ、「２００Ｘ１０１７」及び「テニス」である場合には、前記文面は、「２００Ｘ年１０日１７日に開催予定のテニスは、中止されました。」となる。
このように、予め定型文が携帯電話１００に記憶されており、定型文が要件に合わせて編集され、送信する電子メールの内容が作成される。例えば、スケジュール帳データには、各スケジュールデータについて、スケジュール名が付されており、制御部１０８は、このスケジュール名を、前記電子メールの件名とするとしてもよい。
【００５９】
制御部１０８は、その他、電子メールの発信者名、発信者メールアドレス、発信年月日を前記文面に挿入する。また、前記予測天気情報を電子メールに添付する。
次に、制御部１０８は、イベント参加者リスト４００から、抽出された年月日及びイベント名称と同じ開催年月日及びイベント名称を含む参加者データを抽出し、抽出した参加者データに含まれるメールアドレスを抽出する。
【００６０】
次に、制御部１０８は、抽出された各メールアドレス宛に、作成した文面を電子メールとして送信するように、通信制御部１０３、無線通信部１０２及びアンテナ１０１を制御する。
こうして、生成された電子メールが、無線基地局１１、携帯電話網１０を介して、他の携帯電話へ送信される。
【００６１】
３．天気情報通知システム１の動作
天気情報通知システム１の動作について説明する。
（１）スケジュール帳データへの登録の動作
携帯電話１００におけるスケジュール帳データへの登録の動作について、図１３に示すフローチャートを用いて説明する。
【００６２】
制御部１０８は、入力部１１１からスケジュール帳の更新を指示する更新指示情報を受け取ると、以下に示すようにして、スケジュール帳データへの登録を行う。
前記更新指示情報を受け取ると、制御部１０８は、入力部１１１から年月日の指定を受け取り（ステップＳ２０１）、イベント名を受け取り（ステップＳ２０２）、イベントアイコンの選択を受け取り（ステップＳ２０３）、天気関連区分を受け取る（ステップＳ２０４）。ここで、受け取った天気関連区分が「有り」の場合に（ステップＳ２０５）、さらに、条件情報を受け取る（ステップＳ２０６）。
【００６３】
次に、制御部１０８は、指定された年月日、受け取ったイベント名、選択されたイベントアイコン、受け取った天気関連区分、受け取った天気関連区分が「有り」の場合に受け取った条件情報を、スケジュールデータとして、スケジュール帳データ４２０へ書き込む（ステップＳ２０７）。
（２）天気情報の取得と電子メールの作成、送信及び受信の動作
天気情報通知システム１における天気情報の取得と電子メールの作成、送信及び受信の動作について、図１４に示すフローチャートを用いて説明する。
【００６４】
制御部１０８は、通信制御部１０３、無線通信部１０２及びアンテナ１０１、無線基地局１１、携帯電話網１０及びインターネット２０を介して、天気情報サーバ装置３００に対して、天気情報の送信を依頼する天気情報要求を送信する（ステップＳ１０１〜ステップＳ１０３）。
前記天気情報要求を受信すると、天気情報サーバ装置は、受信した天気情報要求に合致する天気情報を内部から読み出し（ステップＳ１０４）、読み出した天気情報を、インターネット２０、携帯電話網１０及び無線基地局１１を介して携帯電話１００へ送信する（ステップＳ１０５〜ステップＳ１０７）。
【００６５】
表示部１１０は、受け取った天気情報を基にして生成された待ち受け画面５００を表示し（ステップＳ１０８）、制御部１０８は、受け取った天気情報を用いて、スケジュール帳データ４２０を更新する（ステップＳ１０９）。
次に、制御部１０８は、当日以降の年月日を含み、かつ、「有り」である天気関連区分を含むスケジュールデータについて（ステップＳ１１０）、予測天気情報が、条件情報により示される条件を満たすか否かを判断し、満たさない場合に、は（ステップＳ１１１で、不一致）、電子メールの作成を行わない。満たす場合に（ステップＳ１１１で、一致）、制御部１０８は、イベント参加者リスト４００から、該当するメールアドレスを抽出し（ステップＳ１１２）、電子メールの文面を生成し（ステップＳ１１３）、生成した電子メールを、通信制御部１０３、無線通信部１０２、アンテナ１０１、無線基地局１１、携帯電話網１０を介して、他の携帯電話へ送信する（ステップＳ１１４〜ステップＳ１１５）。
【００６６】
他の携帯電話は、電子メールを受信し（ステップＳ１１４〜ステップＳ１１５）、受信した電子メールを表示する（ステップＳ１１６）。
４．その他の変形例
なお、本発明を上記の実施の形態に基づいて説明してきたが、本発明は、上記の実施の形態に限定されないのはもちろんである。以下のような場合も本発明に含まれる。
【００６７】
（１）上記の実施の形態においては、携帯電話１００は、天気情報サーバ装置３００から、インターネット２０、携帯電話網１０、無線基地局１１を介して、天気情報を取得するとしているが、この例には限定されない。
例えば、天気情報サーバ装置３００に代えて、天気情報放送装置が、地上波デジタル放送に乗せて、天気情報を放送し、携帯電話１００は、放送波を受信し、受信した放送波から天気情報を分離、抽出するとしてもよい。
【００６８】
（２）制御部１０８は、イベントの延期又は中止を伝える電子メールをイベントの参加者に送信する場合に、電子メールの送信の可否を利用者に確認し、利用者の確認が得られた場合において、前記電子メールを送信するとしてもよい。
（３）制御部１０８は、イベントの延期又は中止を伝える電子メールをイベントの参加者に送信する場合に、前記電子メールを送信したことを示す旨の内容と、前記電子メールの内容と、前記電子メールを送信する相手の名前及びメールアドレスとを携帯電話１００の利用者自身のメールアドレス宛に送信するとしてもよい。
【００６９】
（４）制御部１０８は、利用者からスケジュール帳データ４２０の更新を受け付けるとしてもよい。例えば、イベントの開催年月日を、「２００Ｘ年１０月１７日」から、「２００Ｘ年１０月１９日」への更新を受け付ける。このとき、制御部１０８は、天気情報サーバ装置３００から「２００Ｘ年１０月１９日」の予測天気情報を受信し、受信した予測天気情報を用いて、「２００Ｘ年１０月１９日」のスケジュールデータを更新し、当該イベントへの参加者に対して、開催年月日の変更を知らせる文面と、新たに天気情報サーバ装置３００から受け取った「２００Ｘ年１０月１９日」の予測天気情報とを、電子メールとして送信するとしてもよい。
【００７０】
ここで、制御部１０８は、予定の変更を示す前記電子メールをイベントの参加者に送信する場合に、当該電子メールの送信の可否を利用者に確認し、利用者の確認が得られた場合において、前記電子メールを送信するとしてもよい。
ここで、制御部１０８は、予定の変更を示す前記電子メールをイベントの参加者に送信する場合に、前記電子メールを送信したことを示す旨の内容と、前記電子メールの内容と、前記電子メールを送信する相手の名前及びメールアドレスとを携帯電話１００の利用者自身のメールアドレス宛に送信するとしてもよい。
【００７１】
（５）制御部１０８は、イベントの延期又は中止を伝える電子メールをイベントの参加者に送信する場合に、予測天気情報に対応する天気アイコンを、携帯電話１００に記憶されている複数のアイコンから選択し、選択した天気アイコンを、予測天気情報と共に、送信するとしてもよい。
また、携帯電話１００は、複数の絵文字を記憶しており、制御部１０８は、イベントの延期又は中止を伝える電子メールをイベントの参加者に送信する場合に、予測天気情報に対応する絵文字を、前記複数の絵文字から選択し、選択した絵文字を、予測天気情報と共に、送信するとしてもよい。絵文字の一例は、人の泣き顔を表現したものであり、予測天気情報が雨の場合に、泣き側を表現した絵文字を送信する。
【００７２】
（６）イベントの延期又は中止を伝える電子メール又はイベントの変更を伝える電子メールと共に、予測天気情報を受信した携帯電話は、受信した予測天気情報を用いて、自身が有するスケジュール帳データの天気に関する項目を更新するとしてもよい。また、前記携帯電話は、更新されたスケジュール帳データに基づいて更新されたスケジュール帳を表示するとしてもよい。
【００７３】
こうして前記携帯電話は、電子メールを受信した後で、スケジュール帳を表示すると、予測天気情報が含まれて表示されていることになる。
（７）表示部１１０は、上述した待ち受け画面５００、５１０、５２０、５３０、５４０、５５０のうちのいずれか１個の待ち受け画面を表示する。
制御部１０８は、定期的に受信する予測天気情報を用いて、これらの待ち受け画面を、定期的に更新する。例えば、図８に示す待ち受け画面５４０には、台風の予想進路図が表示されている。制御部１０８は、定期的に台風の予想進路図を受信し、受信した予想進路図を用いて、待ち受け画面５４０を更新する。
【００７４】
（８）表示部１１０は、上述した待ち受け画面５００、５１０、５２０、５３０において、予測天気情報を表現するアイコン、ピクト、ポップアップを表示している。
また、表示部１１０は、上述した待ち受け画面５００、５１０、５２０、５３０において、予測天気情報を表現するアイコン、ピクト、ポップアップを表示する際に、さらに、イベントが開催される日時、イベントの開催地、詳細の天気情報を表示するとしてもよい。
【００７５】
例えば、表示部１１０は、１週間後のお花見のイベントを予定している日の、公園付近の開花状況を表示するとしてもよい。
また、表示部１１０は、特定の条件を設定し、その条件を満たす場合に、特定の情報を表示するとしてもよい。例えば、雨という条件を設定し、予測天気情報が雨という条件を満たす場合にのみ、雨を示す情報を表示するとしてもよい。
【００７６】
また、表示部１１０は、予測天気情報内に台風情報が含まれる場合にのみ、天気情報を表示するとしてもよい。
また、表示部１１０は、予測天気情報内に台風情報が含まれる場合に、かならず、台風情報を表示するとしてもよい。
また、表示部１１０は、アラーム機能と連動して、天気情報を表示する時間帯を設定するとしてもよい。例えば、午前６時から８時までの間だけ、傘により表現された天気アイコンを表示するとしてもよい。
【００７７】
（９）表示部１１０により待ち受け画面に天気アイコンが表示されている場合に、入力部１１１が、利用者からその天気アイコンの選択を受け付けると、表示部１１０は、図１０〜図１１に示す当該天気アイコンと同じ天気アイコンを含むスケジュール画面５６０又は５７０を表示するとしてもよい。また、前記選択を受け付けると、このとき、図１２に示すリスト表示画面５９０を表示するとしてもよい。
【００７８】
（１０）予測天気情報は、指数により表現される場合が多いので、その数値を複数の段階に分類し、アイコンや壁紙を表示する際に、各段階を代表するマークを表示するとしてもよい。
例えば、洗濯指数が、０〜３０の場合には、「×」の図形を表示し、３１〜６９の場合には、「▲」の図形を表示し、７０〜１００の場合には、「●」の図形を表示するとしてもよい。
【００７９】
（１１）制御部１０８は、予測天気情報を受信する際に、特定の地域に関する地域情報を含む予測天気情報のみを取得するとしてもよい。旅行先や出張先などを前記特定の地域として設定することにより、スケジュール帳におけるその日（旅行の日、出張の日）において、その行き先の天気が表示される。
また、制御部１０８は、１個の特定の地域における予測天気情報の取得だけではなく、複数の特定の地域における複数の予測天気情報を取得するとしてもよい。
【００８０】
（１２）以下に示すようにして、イベントの中止又は延期を伝える電子メールの累積送信回数を限定するとしてもよい。
スケジュール帳データの各スケジュールデータは、さらに、イベントの中止又は延期を伝える電子メールの累積送信回数及び最大送信回数を含む。このとき、累積送信回数の初期値は、「０」である。また最大送信回数は、前記利用者により許可される最大の送信回数を示しており、初期値として、「１」が設定され、利用者により最大送信回数の更新がされる。制御部１０８は、イベントの中止又は延期を伝える電子メールを送信する前に、累積送信回数と最大送信回数とを比較する。累積送信回数が最大送信回数と等しければ、制御部１０８は、当該電子メールを送信しない。累積送信回数が最大送信回数より小さければ、制御部１０８、累積送信回数に「１」を加算し、その後、イベントの中止又は延期を伝える電子メールを該当する各メールアドレス宛に送信する。
【００８１】
（１３）制御部１０８は、以下に示すようにして、電子メールの送信期限を限定するとしてもよい。
スケジュール帳データの各スケジュールデータは、さらに、イベントの中止又は延期を伝える電子メールの送信可能期間を含む。送信可能期間は、例えば、イベントの開催年月日の「１週間前から前日まで」である。制御部１０８は、イベントの中止又は延期を伝える電子メールの送信を、前記送信可能期間に限定し、この期間外においては、当該電子メール送信しないとしてもよい。
【００８２】
これは、例えば、イベントの開催年月日の１カ月前の予測天気情報は、確実性が低いからである。
また、例えば、イベントの開催年月日の１カ月前において、この時点の予測天気情報を用いて、イベントの開催が中止又は延期される可能性があることを伝える電子メールを送信するとしてもよい。この場合に、例えば、イベントの開催年月日の１週間前から前日までの間に、この期間の予測天気情報を用いて、イベントの開催が中止又は延期することを伝える電子メール、又はイベントは予定通り開催されることを伝える電子メールを送信するとしてもよい。
【００８３】
（１４）以上説明したように、上記の実施の形態及びその変形例によると、Ｗｅｂコンテンツなどの天気情報と、携帯電話上のスケジュール帳とを自動的に連動されることにより、予定をたてやすくなるという効果がある。
また、予定に変更が生じた場合に、受信した天気情報を電子メールで送信するので、イベントの開催予定日の天気情報を参加者全員が共有することができる。
【００８４】
また、定期的に天気情報を受信して、スケジュール帳の天気情報を、常に、更新するので、早期に変更の可能性を知り、調整することができる。
（１５）上記の各装置は、具体的には、マイクロプロセッサ、ＲＯＭ、ＲＡＭ、などから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各装置は、その機能を達成する。ここで、コンピュータプログラムは、所定の機能を達成するために、コンピュータに対する指令を示す命令コードが複数個組み合わされて構成されたものである。
【００８５】
（１６）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００８６】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００８７】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１７）上記実施の形態及び上記変形例をそれぞれ組み合わせるとしてもよい。
【産業上の利用可能性】
【００８８】
本発明を構成する各装置は、電器機器製造産業において、経営的に、また継続的及び反復的に、製造し、販売することができる。
【図面の簡単な説明】
【００８９】
【図１】天気情報通知システム１の構成を示す構成図である。
【図２】スケジュール帳データ４２０のデータ構造の一例を示す。
【図３】イベント参加者リスト４００のデータ構造の一例を示す。
【図４】表示部１１０により表示される待ち受け画面５００を示す。
【図５】表示部１１０により表示される待ち受け画面５１０を示す。
【図６】表示部１１０により表示される待ち受け画面５２０を示す。
【図７】表示部１１０により表示される待ち受け画面５３０を示す。
【図８】表示部１１０により表示される待ち受け画面５４０を示す。
【図９】表示部１１０により表示される待ち受け画面５５０を示す。
【図１０】表示部１１０により表示されるスケジュール画面５６０を示す。
【図１１】表示部１１０により表示されるスケジュール画面５７０を示す。
【図１２】表示部１１０により表示されるリスト表示画面５９０を示す。
【図１３】携帯電話１００におけるスケジュール帳データへの登録の動作を示すフローチャートである。
【図１４】天気情報通知システム１における天気情報の取得と電子メールの作成、送信及び受信の動作を示すフローチャートである。
【符号の説明】
【００９０】
１    天気情報通知システム
１０    携帯電話網
１１    無線基地局
２０    インターネット
１００    携帯電話
１０１    アンテナ
１０２    無線通信部
１０３    通信制御部
１０４    スピーカ
１０５    ＤＡ変換部
１０６    マイク
１０７    ＡＤ変換部
１０８    制御部
１０９    記憶部
１１０    表示部
１１１    入力部
２０１〜２０３    携帯電話
３００    天気情報サーバ装置
【図１】
0004701061.tif 000002
【図２】
0004701061.tif 000003
【図３】
0004701061.tif 000004
【図４】
0004701061.tif 000005
【図５】
0004701061.tif 000006
【図６】
0004701061.tif 000007
【図７】
0004701061.tif 000008
【図８】
0004701061.tif 000009
【図９】
0004701061.tif 000010
【図１０】
0004701061.tif 000011
【図１１】
0004701061.tif 000012
【図１２】
0004701061.tif 000013
【図１３】
0004701061.tif 000014
【図１４】
0004701061.tif 000015